(57)【要約】  本発明のＬＥＤ光源装置は、複数のＬＥＤ光源（２Ｒ，２Ｇ，２Ｂ）と、複数のＬＥＤ光源（２Ｒ，２Ｇ，２Ｂ）を順次点灯させるように駆動するＬＥＤ駆動回路（３）と、を有する。ＬＥＤ駆動回路（３）は、フィードバック信号に基づいて電源電圧を変換し、変換された電圧を複数のＬＥＤ光源（２Ｒ，２Ｇ，２Ｂ）へ出力する１つのＤＣ／ＤＣコンバータ（３１）と、複数のＬＥＤ光源（２Ｒ，２Ｇ，２Ｂ）の各々に対応して設けられ、対応するＬＥＤ光源に対する点灯タイミング信号に基づいて、対応するＬＥＤ光源を点灯させる複数の点灯制御回路（３３Ｒ，３３Ｇ，３３Ｂ）と、複数のＬＥＤ光源（２Ｒ，２Ｇ，２Ｂ）の各々に対する点灯タイミング信号に基づいて、ＤＣ／ＤＣコンバータ（３１）に入力するフィードバック信号を、複数のＬＥＤ光源（２Ｒ，２Ｇ，２Ｂ）のうち点灯させるＬＥＤ光源に応じて切替える電圧フィードバック部（３２）と、を有する。
2009122488.tif 000002
【特許請求の範囲】
【請求項１】
複数のＬＥＤ光源と、前記複数のＬＥＤ光源を順次点灯させるように駆動するＬＥＤ駆動回路と、を有してなるＬＥＤ光源装置であって、
前記ＬＥＤ駆動回路は、
フィードバック信号に基づいて電源電圧を変換し、変換された電圧を前記複数のＬＥＤ光源へ出力する１つの電圧供給部と、
前記複数のＬＥＤ光源の各々に対応して設けられ、対応するＬＥＤ光源に対する点灯タイミング信号に基づいて、対応するＬＥＤ光源を点灯させる複数の点灯制御回路と、
前記複数のＬＥＤ光源の各々に対する点灯タイミング信号に基づいて、前記電圧供給部に入力するフィードバック信号を、前記複数のＬＥＤ光源のうち点灯させるＬＥＤ光源に応じて切替える電圧制御部と、を具備するＬＥＤ光源装置。
【請求項２】
前記電圧制御部は、
前記複数のＬＥＤ光源の各々に対する点灯タイミング信号に基づいて、前記電圧制御部の伝達関数を、前記点灯させるＬＥＤ光源に応じて切替え、切替えられた伝達関数に基づいて、前記電圧供給部から出力された電圧を変換し、変換された電圧値を表す電圧情報を、前記フィードバック信号として前記電圧供給部に入力する伝達関数切替部を含む、請求項１に記載のＬＥＤ光源装置。
【請求項３】
前記ＬＥＤ駆動回路は、
前記複数のＬＥＤ光源の各々に対応して設けられ、対応するＬＥＤ光源に流れる電流値を検出し、検出された電流値に応じた電圧値となる電流検出信号を生成する複数の電流検出部をさらに具備し、
前記電圧制御部は、
前記複数のＬＥＤ光源の各々に対応して設けられ、対応するＬＥＤ光源を点灯させるときの基準電圧値となる基準電圧信号を生成する複数の基準電圧生成回路と、
前記複数のＬＥＤ光源の各々に対応して設けられ、対応するＬＥＤ光源について前記電流検出部で生成された電流検出信号と前記基準電圧生成回路で生成された基準電圧信号との電圧の差分値を表す電流情報を生成する複数の電流情報生成部と、
前記複数のＬＥＤ光源の各々に対する点灯タイミング信号に基づいて、前記複数の電流情報生成部の各々で生成された電流情報のうち、前記点灯させるＬＥＤ光源についての電流情報を選択し、選択された電流情報を、前記フィードバック信号として前記電圧供給部に入力する伝達関数切替部と、を含む、請求項１に記載のＬＥＤ光源装置。
【請求項４】
前記ＬＥＤ駆動回路は、
前記複数のＬＥＤ光源に流れる総電流値を検出し、検出された電流値に応じた電圧値となる電流検出信号を生成する電流検出部をさらに具備し、
前記電圧制御部は、
前記複数のＬＥＤ光源の各々に対応して設けられ、対応するＬＥＤ光源を点灯させるときの基準電圧値となる基準電圧信号を生成する複数の基準電圧生成回路と、
前記複数のＬＥＤ光源の各々に対する点灯タイミング信号に基づいて、前記複数の基準電圧生成回路の各々で生成された基準電圧信号のうち、前記点灯させるＬＥＤ光源についての基準電圧信号を選択する伝達関数切替部と、
前記電流検出部で生成された電流検出信号と前記伝達関数切替部で選択された基準電圧信号との電圧の差分値を表す電流情報を、前記フィードバック信号として前記電圧供給部に入力する電流情報生成部と、を含む、請求項１に記載のＬＥＤ光源装置。
【請求項５】
前記電圧制御部は、
前記複数のＬＥＤ光源のいずれも点灯させないときの基準電圧値となる基準電圧信号を生成する特定基準電圧生成回路をさらに含み、
前記伝達関数切替部は、
前記複数のＬＥＤ光源の各々に対する点灯タイミング信号に基づいて、前記複数のＬＥＤ光源のいずれも点灯させないときには、前記特定基準電圧生成回路で生成された基準電圧信号を選択する、請求項４に記載のＬＥＤ光源装置。
【請求項６】
複数のＬＥＤ光源を順次点灯させるように動作するＬＥＤ光源装置の制御方法であって、
フィードバック信号に基づいて電源電圧を変換し、変換された電圧を前記複数のＬＥＤ光源へ出力する電圧供給ステップと、
前記複数のＬＥＤ光源の各々に対する点灯タイミング信号に基づいて、前記複数のＬＥＤ光源を順次点灯させる点灯ステップと、
前記複数のＬＥＤ光源の各々に対する点灯タイミング信号に基づいて、前記電圧供給ステップで用いられるフィードバック信号を、前記複数のＬＥＤ光源のうち点灯させるＬＥＤ光源に応じて切替える電圧制御ステップと、を有するＬＥＤ光源装置の制御方法。
【請求項７】
前記電圧制御ステップでは、
前記複数のＬＥＤ光源の各々に対する点灯タイミング信号に基づいて、前記電圧制御ステップで用いられる伝達関数を、前記点灯させるＬＥＤ光源に応じて切替え、切替えられた伝達関数に基づいて、前記電圧供給ステップで出力された電圧を変換し、変換された電圧値を表す電圧情報を前記フィードバック信号とする、請求項６に記載のＬＥＤ光源装置の制御方法。
【請求項８】
前記複数のＬＥＤ光源ごとに、該ＬＥＤ光源に流れる電流値を検出し、検出された電流値に応じた電圧値となる電流検出信号を生成する電流検出ステップをさらに有し、
前記電圧制御ステップは、
前記複数のＬＥＤ光源ごとに、該ＬＥＤ光源を点灯させるときの基準電圧値となる基準電圧信号を生成する基準電圧生成ステップと、
前記複数のＬＥＤ光源ごとに、該ＬＥＤ光源について前記電流検出ステップで生成された電流検出信号と前記基準電圧生成ステップで生成された基準電圧信号との電圧の差分値を表す電流情報を生成する電流情報生成ステップと、
前記複数のＬＥＤ光源の各々に対する点灯タイミング信号に基づいて、前記電流情報生成ステップで生成された電流情報のうち、前記点灯させるＬＥＤ光源についての電流情報を選択し、選択された電流情報を前記フィードバック信号とする選択ステップと、を含む請求項６に記載のＬＥＤ光源装置の制御方法。
【請求項９】
前記複数のＬＥＤ光源に流れる総電流値を検出し、検出された電流値に応じた電圧値となる電流検出信号を生成する電流検出ステップをさらに有し、
前記電圧制御ステップは、
前記複数のＬＥＤ光源ごとに、該ＬＥＤ光源を点灯させるときの基準電圧値となる基準電圧信号を生成する基準電圧生成ステップと、
前記複数のＬＥＤ光源の各々に対する点灯タイミング信号に基づいて、前記基準電圧生成ステップで生成された基準電圧信号のうち、前記点灯させるＬＥＤ光源についての基準電圧信号を選択する選択ステップと、
前記電流検出ステップで生成された電流検出信号と前記選択ステップで選択された基準電圧信号との電圧の差分値を表す電流情報を、前記フィードバック信号とする電流情報生成ステップと、を含む、請求項６に記載のＬＥＤ光源装置の制御方法。
【請求項１０】
前記電圧制御ステップは、
前記複数のＬＥＤ光源のいずれも点灯させないときの基準電圧値となる基準電圧信号を生成する特定基準電圧生成ステップをさらに含み、
前記選択ステップでは、
前記複数のＬＥＤ光源の各々に対する点灯タイミング信号に基づいて、前記複数のＬＥＤ光源のいずれも点灯させないときには、前記特定基準電圧生成ステップで生成された基準電圧信号を選択する、請求項９に記載のＬＥＤ光源装置の制御方法。
【発明の詳細な説明】
【技術分野】
【０００１】
本発明は、ＬＥＤ光源装置およびＬＥＤ光源装置の制御方法に関し、特に、表示装置における空間光変調器を照明するＬＥＤ光源装置およびＬＥＤ光源装置の制御方法に関する。
【背景技術】
【０００２】
ＬＥＤ（Light  Emitting  Diode）などの固体光源は、発光光束が年々増大しており、投写型表示装置や直視型表示装置における空間光変調器を照明する光源として利用され始めている。【０００３】
ＬＥＤは、従来光源の放電ランプに比べ、即時点灯可能、即時消灯可能、単色発光可能といった特長を有しているため、ＦＳＣ（Field  Sequential  Color）方式のカラー画像表示システムにマッチしている。【０００４】
ＦＳＣ方式は、１画面を構成する１フレーム期間を複数のフィールド期間に時分割し、各フィールド毎に異なった色の画像を順次に表示する方法であり、人間の眼の積分効果を利用したカラー表示方法である。ＦＳＣ方式は、モノクロ単板の空間光変調器を用いた場合でもカラー表示できるので、表示装置の構成をコンパクトにすることができる。【０００５】
ＬＥＤは、駆動が簡単で、１素子当りの消費電力が小さいので、バッテリ駆動にも向いている。ＬＥＤは、注入されたキャリア（電子と正孔）を光子に変換するため、通常、発光光束の調節はＬＥＤに流す電流を制御することによって行われる。【０００６】
また、ＬＥＤの順方向電圧−電流特性はダイオード特性をもつため、ＬＥＤに印加する電圧を制御することによっても発光光束を調節することができる。【０００７】
しかしながら、ＬＥＤの電圧制御は、ＬＥＤがダイオード特性をもつが故に、電流制御と比較して制御精度が劣り、また個体差が大きい。【０００８】
ＬＥＤを光源とした投写型表示装置は、例えば、特許文献１に開示されている。また、複数色のＬＥＤ光源を駆動する回路は、例えば、特許文献２に開示されている。【０００９】
ここで、関連するＬＥＤ光源装置について説明する。【００１０】
図１は、関連するＬＥＤ光源装置の構成を示すブロック図である。【００１１】
図１に示すＬＥＤ光源装置は、それぞれＲ色（赤色），Ｇ色（緑色），Ｂ色（青色）の光を発するＬＥＤ光源９２Ｒ，９２Ｇ，９２Ｂと、ＬＥＤ光源９２Ｒ，９２Ｇ，９２Ｂを順次点灯させるように駆動するＬＥＤ駆動回路９３Ｒ，９３Ｇ，９３Ｂと、を有する。【００１２】
ＬＥＤ光源９２Ｒは、Ｒ色光を発する１以上のＬＥＤ素子９２１Ｒを有する。同様に、ＬＥＤ光源９２Ｇは、Ｇ色光を発する１以上のＬＥＤ素子を有し、ＬＥＤ光源９２Ｂは、Ｂ色光を発する１以上のＬＥＤ素子を有する。【００１３】
ＬＥＤ駆動回路９３Ｒは、ＤＣ／ＤＣコンバータ９３１と、電圧フィードバック部９３２と、点灯制御回路９３３と、抵抗器９３４と、電流フィードバック部９３５と、を有する。【００１４】
ＤＣ／ＤＣコンバータ９３１は、電圧フィードバック部９３２から入力されるフィードバック信号Ｖｆｂに基づいて、直流電源９１から入力される電源電圧Ｖｉｎを、ＬＥＤ光源９２Ｒへ供給する電圧ＶＬに変換して出力する。【００１５】
電圧フィードバック部９３２は、電圧ＶＬを分圧する抵抗器９３２１，９３２２を有し、抵抗器９３２１，９３２２で分圧された電圧の電圧値を表す電圧情報を、フィードバック信号ＶｆｂとしてＤＣ／ＤＣコンバータ９３１へフィードバックする。このフィードバックループにより、電圧ＶＬは所定の電圧に調節される。【００１６】
点灯制御回路９３３は、ＬＥＤ光源９２Ｒを点滅させる役目とＬＥＤ光源９２Ｒに流す電流を調整する役目とを担う。点灯制御回路９３３は、ＦＥＴ（Field-Effect  Transistor）９３３１と、ＦＥＴ駆動回路９３３２と、を有する。ＦＥＴ駆動回路９３３２は、ＬＥＤ光源９２Ｒに対する点灯タイミング信号Ｔｏｎ（Ｒ）に基づいて、ＦＥＴ９３３１に電流を流すタイミングを制御する。また、ＦＥＴ駆動回路９３３２は、電流フィードバック部９３５から入力される電流情報に基づいて、ＦＥＴ９３３１に流す電流値を制御する。【００１７】
抵抗器９３４は、ＬＥＤ光源９２Ｒに流れる電流値を検出し、検出された電流値に応じた電圧値となる電流検出信号を生成する。【００１８】
電流フィードバック部９３５は、基準電圧生成回路９３５１と、差動増幅回路９３５２と、を有する。基準電圧生成回路９３５１は、ＬＥＤ光源９２Ｒを点灯させるときの基準電圧値となる基準電圧信号を生成する。差動増幅回路９３５２は、基準電圧生成回路９３５１で生成された基準電圧信号と抵抗器９３４で生成された電流検出信号との電圧差を増幅し、増幅された電圧差を表す電流情報を点灯制御回路９３３へフィードバックする。このフィードバックループにより、ＬＥＤ光源９２Ｒに流れる電流が一定になる。【００１９】
ＬＥＤ駆動回路９３Ｇ，９３Ｂの構成や動作は、ＬＥＤ駆動回路９３Ｒと同様である。【００２０】
ところで、ＬＥＤ光源装置は、表示装置における光源装置として使用される場合、ＲＧＢのホワイトバランスを調節する必要がある。【００２１】
そのため、各ＬＥＤ光源９２Ｒ，９２Ｇ，９２Ｂへ供給する電圧は異なってしまう。これに対応するため、場合によっては、ＬＥＤ素子の個数を光源色によって変えたりする。【００２２】
また、ＬＥＤ素子に流す電流によってＬＥＤ素子の順方向電圧が変化する。さらには、Ｒ色光を発するＬＥＤ素子とＧ色光やＢ色光を発するＬＥＤ素子とは順方向電圧が大きく異なる。例えば、ＯＳＲＡＭ  Ｏｐｔｏ  Ｓｅｍｉｃｏｎｄｕｃｔｏｒｓ社製のＲ色光を発するＬＥＤモジュール「ＬＥ  Ａ  Ｇ３Ａ」では、ＬＥＤ素子に流す電流が１Ａの場合、順方向電圧は、典型値２．８Ｖ、最小値２．２５Ｖ、最大値３．８５Ｖである。一方、Ｂ色光を発するＬＥＤモジュール「ＬＥ  Ｂ  Ｇ３Ａ」では、ＬＥＤ素子に流す電流が１Ａの場合、順方向電圧は、典型値４Ｖ、最小値３．２Ｖ、最大値５Ｖである。【００２３】
これらの要因により、各ＬＥＤ光源９２Ｒ，９２Ｇ，９２Ｂの負荷電圧は異なってしまうので、電圧を供給するＤＣ／ＤＣコンバータ９３１は、各ＬＥＤ光源９２Ｒ，９２Ｇ，９２Ｂ毎に必要になる。【００２４】
仮に、各ＬＥＤ光源９２Ｒ，９２Ｇ，９２Ｂに共通の電圧を供給するＤＣ／ＤＣコンバータを使用する場合、負荷電圧の差を吸収するデバイスが必要となる。図１の例では、ＦＥＴ９３３１が負荷電圧の差を吸収するデバイスとして働く。【００２５】
例えば、上述のＬＥＤモジュールの例では、Ｒ色光を発するＬＥＤ素子を６個直列に接続すると、典型値は１６．８Ｖとなり、Ｂ色光を発するＬＥＤ素子を６個直列に接続すると、典型値は２４Ｖとなる。よって、電流を１Ａ流す場合の電圧差は７．２Ｖ、電力差は７．２Ｗとなる。この場合、ＦＥＴ９３３１は、７．２Ｗもの電力を消費しなければならず、それに耐える大きなＦＥＴが必要となり、また、発熱するので放熱対策も必要になる。また、こうした電力損失は、省エネルギー化にも反する。【００２６】
したがって、複数色のＬＥＤ光源を順次点灯するように動作するＬＥＤ光源装置においては、電力損失を抑えつつコンパクトに構成することが重要な課題となっている。【００２７】
また、ＬＥＤ素子の順方向電圧は個体差が大きい。例えば、上述のＬＥＤモジュールの例では、Ｂ色光を発するＬＥＤ素子を６個直列に接続すると、最小値で１９．２Ｖ、最大値で３０Ｖとなり、その差は１０．８Ｖにもなる。【００２８】
したがって、複数色のＬＥＤ光源を順次点灯するように動作するＬＥＤ光源装置においては、ＬＥＤ素子の順方向電圧の個体差が大きくても発光光束を精度よく制御することも重要な課題となっている。
【特許文献１】特開２０００−０５６４１０号公報
【特許文献２】特開２００７−２１４１１１号公報
【発明の開示】
【００２９】
そこで、本発明の目的は、上述した課題のいずれかを解決するＬＥＤ光源装置およびＬＥＤ光源装置の制御方法を提供することにある。
【００３０】
上記目的を達成するために本発明のＬＥＤ光源装置は、
複数のＬＥＤ光源と、前記複数のＬＥＤ光源を順次点灯させるように駆動するＬＥＤ駆動回路と、を有してなるＬＥＤ光源装置であって、
前記ＬＥＤ駆動回路は、
フィードバック信号に基づいて電源電圧を変換し、変換された電圧を前記複数のＬＥＤ光源へ出力する１つの電圧供給部と、
前記複数のＬＥＤ光源の各々に対応して設けられ、対応するＬＥＤ光源に対する点灯タイミング信号に基づいて、対応するＬＥＤ光源を点灯させる複数の点灯制御回路と、
前記複数のＬＥＤ光源の各々に対する点灯タイミング信号に基づいて、前記電圧供給部に入力するフィードバック信号を、前記複数のＬＥＤ光源のうち点灯させるＬＥＤ光源に応じて切替える電圧制御部と、を具備する。
【００３１】
上記目的を達成するために本発明のＬＥＤ光源装置の制御方法は、
複数のＬＥＤ光源を順次点灯させるように動作するＬＥＤ光源装置の制御方法であって、
フィードバック信号に基づいて電源電圧を変換し、変換された電圧を前記複数のＬＥＤ光源へ出力する電圧供給ステップと、
前記複数のＬＥＤ光源の各々に対する点灯タイミング信号に基づいて、前記複数のＬＥＤ光源を順次点灯させる点灯ステップと、
前記複数のＬＥＤ光源の各々に対する点灯タイミング信号に基づいて、前記電圧供給ステップで用いられるフィードバック信号を、前記複数のＬＥＤ光源のうち点灯させるＬＥＤ光源に応じて切替える電圧制御ステップと、を有する。
【００３２】
本発明のＬＥＤ光源装置においては、複数のＬＥＤ光源のうち点灯させるＬＥＤ光源に応じてフィードバック信号を切替え、切替えられたフィードバック信号に基づいて電源電圧を変換した電圧を複数のＬＥＤ光源へ供給するようにしている。
【００３３】
したがって、点灯させるＬＥＤ光源の負荷電圧に合わせて電圧を供給することができるため、複数のＬＥＤ光源で１つの電圧供給部を共用しても電力損失を抑えることができ、それにより、電力損失を抑えつつコンパクトにＬＥＤ光源装置を構成することができるという効果が得られる。
【図面の簡単な説明】
【００３４】
【図１】関連するＬＥＤ光源装置の一構成例を示すブロック図である。
【図２】本発明の第１の実施形態のＬＥＤ光源装置の構成を示すブロック図である。
【図３】本発明の第１の実施形態におけるＤＣ／ＤＣコンバータの一構成例を示すブロック図である。
【図４】本発明の第１の実施形態における電圧フィードバック部の一構成例を示すブロック図である。
【図５】本発明の第１の実施形態のＬＥＤ光源装置の動作を説明するタイミングチャートである。
【図６】本発明の第１の実施形態における電圧フィードバック部の他の構成例を示すブロック図である。
【図７】本発明の第１の実施形態における電圧フィードバック部のさらに他の構成例を示すブロック図である。
【図８】本発明の第２の実施形態のＬＥＤ光源装置の構成を示すブロック図である。
【図９】本発明の第３の実施形態のＬＥＤ光源装置の構成を示すブロック図である。
【図１０】本発明の第４の実施形態のＬＥＤ光源装置の構成を示すブロック図である。
【発明を実施するための最良の形態】
【００３５】
以下に、本発明を実施するための最良の形態について図面を参照して説明する。【００３６】
（第１の実施形態）
図２は、本発明の第１の実施形態のＬＥＤ光源装置の構成を示すブロック図である。【００３７】
図２に示すＬＥＤ光源装置は、それぞれＲ色（赤色），Ｇ色（緑色），Ｂ色（青色）の光を発するＬＥＤ光源２Ｒ，２Ｇ，２Ｂと、ＬＥＤ光源２Ｒ，２Ｇ，２Ｂを順次点灯させるように駆動するＬＥＤ駆動回路３と、を有する。【００３８】
ＬＥＤ光源２Ｒは、Ｒ色光を発する１以上のＬＥＤ素子２１Ｒを有する。同様に、ＬＥＤ光源２Ｇは、Ｇ色光を発する１以上のＬＥＤ素子２１Ｇを有し、ＬＥＤ光源２Ｂは、Ｂ色光を発する１以上のＬＥＤ素子２１Ｂを有する。【００３９】
ＬＥＤ駆動回路３は、電圧供給部であるＤＣ／ＤＣコンバータ３１と、電圧制御部である電圧フィードバック部３２と、点灯制御回路３３Ｒ，３３Ｇ，３３Ｂと、抵抗器３４Ｒ，３４Ｇ，３４Ｂと、電流フィードバック部３５Ｒ，３５Ｇ，３５Ｂと、を有する。【００４０】
ＤＣ／ＤＣコンバータ３１は、電圧フィードバック部３２から入力されるフィードバック信号Ｖｆｂに基づいて、直流電源１から入力される電源電圧Ｖｉｎを、ＬＥＤ光源２Ｒ，２Ｇ，２Ｂへ供給する電圧ＶＬに変換して出力する。【００４１】
電圧フィードバック部３２は、フィードバックループの伝達関数に基づいて、電圧ＶＬを変換し、変換された電圧の電圧値を表す電圧情報を、フィードバック信号ＶｆｂとしてＤＣ／ＤＣコンバータ３１へフィードバックする。このフィードバックループにより、電圧ＶＬは所定の電圧に調節される。【００４２】
また、電圧フィードバック部３２は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバックループの伝達関数を、点灯させるＬＥＤ光源に応じて切替える。このことによって、点灯させるＬＥＤ光源に応じて電圧ＶＬを変更することができる。【００４３】
点灯制御回路３３Ｒは、ＬＥＤ光源２Ｒを点滅させる役目とＬＥＤ光源２Ｒに流す電流を調整する役目とを担う。点灯制御回路３３Ｒは、ＦＥＴ３３１Ｒと、ＦＥＴ駆動回路３３２Ｒと、を有する。ＦＥＴ駆動回路３３２Ｒは、ＬＥＤ光源２Ｒに対する点灯タイミング信号Ｔｏｎ（Ｒ）に基づいて、ＦＥＴ３３１Ｒに電流を流すタイミングを制御する。また、ＦＥＴ駆動回路３３２Ｒは、電流フィードバック部３５Ｒから入力される電流情報に基づいて、ＦＥＴ３３１Ｒに流す電流値を制御する。【００４４】
点灯制御回路３３Ｇ，３３Ｂの構成や動作は、点灯制御回路３３Ｒと同様である。【００４５】
抵抗器３４Ｒ，３４Ｇ，３４Ｂは、それぞれＬＥＤ光源２Ｒ，２Ｇ，２Ｂに流れる電流値を検出し、それぞれ検出された電流値に応じた電圧値となる電流検出信号を生成する。【００４６】
電流フィードバック部３５Ｒは、基準電圧生成回路３５１Ｒと、差動増幅回路３５２Ｒと、を有する。基準電圧生成回路３５１Ｒは、ＬＥＤ光源２Ｒを点灯させるときの基準電圧値となる基準電圧信号を生成する。差動増幅回路３５２Ｒは、基準電圧生成回路３５１Ｒで生成された基準電圧信号と抵抗器３４Ｒで生成された電流検出信号との電圧差を増幅し、増幅された電圧差を表す電流情報を点灯制御回路３３Ｒへフィードバックする。このフィードバックループにより、ＬＥＤ光源２Ｒに流れる電流を一定にすることができる。また、基準電圧生成回路３５１Ｒで生成された基準電圧信号の基準電圧を調整することによって、ＬＥＤ光源２Ｒに流す電流を調節することができる。【００４７】
電流フィードバック部３５Ｇ，３５Ｂの構成や動作は、電流フィードバック部３５Ｒと同様である。【００４８】
次に、ＤＣ／ＤＣコンバータ３１について説明する。ＤＣ／ＤＣコンバータ３１としては、一般的なものを用いることができる。【００４９】
図３は、本発明の第１の実施形態におけるＤＣ／ＤＣコンバータ３１の一構成例を示すブロック図であり、一般的なＤＣ／ＤＣコンバータを示している。【００５０】
図３に示すＤＣ／ＤＣコンバータ３１は、出力電圧ＶＬが入力電圧Ｖｉｎよりも低い、いわゆる降圧型である。また、ＤＣ／ＤＣコンバータ３１は、スイッチングのデューティー比によって出力電圧を調整する、いわゆるスイッチングレギュレータである。また、ＤＣ／ＤＣコンバータ３１は、スイッチングのデューティー比を決める判定デバイスとしてヒステリシスをもつコンパレータを用いる、いわゆるヒステリシス型である。【００５１】
図３に示すＤＣ／ＤＣコンバータ３１は、スイッチ素子として働くＦＥＴ３１２と、フリーホイールダイオード（Free  Wheel  Diode）として働くダイオード３１３と、電力を充放電するインダクタ３１４と、基準電圧を生成する基準電圧生成回路３１６と、ヒステリシスをもつコンパレータ３１７と、コンパレータ３１７の出力に応じてＦＥＴ３１２をＯＮ／ＯＦＦ制御するＦＥＴ駆動回路３１８と、リップル電流を供給するコンデンサ３１１と、出力電圧ＶＬを平滑化するコンデンサ３１５と、を有する。【００５２】
コンパレータ３１７は、基準電圧生成回路３１６で生成された基準電圧信号とフィードバック信号Ｖｆｂとを比較し、Ｖｆｂの電圧が基準電圧信号よりも小さいとＦＥＴ３１２をＯＮするように働き、Ｖｆｂの電圧が基準電圧信号よりも大きいとＦＥＴ３１２をＯＦＦするように働く。なお、フィードバックループが安定するように、コンパレータ３１７としてヒステリシスをもつものを用いる。【００５３】
ＦＥＴ３１２がＯＮする時間比率（デューティー比）が大きいほど、ＤＣ／ＤＣコンバータ３１の出力電圧ＶＬが大きくなる。出力電圧ＶＬに依存する情報をフィードバック信号Ｖｆｂとしてフィードバックループを構成すると、Ｖｆｂが基準電圧に等しくなるようにＶＬが制御されることになる。【００５４】
次に、電圧フィードバック部３２について説明する。【００５５】
図４は、本発明の第１の実施形態における電圧フィードバック部３２の一構成例を示すブロック図である。【００５６】
図４に示す電圧フィードバック部３２は、ＤＣ／ＤＣコンバータ３１の出力電圧ＶＬを分圧する抵抗器３２１，３２２と、伝達関数切替部３２３と、を有する。【００５７】
伝達関数切替部３２３は、抵抗器３２４Ｒ，３２４Ｇ，３２４Ｂと、ＦＥＴ３２５Ｒ，３２５Ｇ，３２５Ｂと、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、各ＦＥＴ３２５Ｒ，３２５Ｇ，３２５ＢをＯＮ／ＯＦＦ制御する各ＦＥＴ駆動回路３２６Ｒ，３２６Ｇ，３２６Ｂと、を有する。【００５８】
いずれのＬＥＤ光源２Ｒ，２Ｇ，２Ｂも点灯しないタイミングにおいて、ＦＥＴ３２５Ｒ，３２５Ｇ，３２５ＢはいずれもＯＦＦする。抵抗器３２１，３２２の抵抗値をそれぞれRfb1，Rfb2Cとすると、フィードバック信号Ｖｆｂの電圧は、次のようになる。
Vfb＝VL×Rfb2C／（Rfb1＋Rfb2C）
Ｒ色のＬＥＤ光源２Ｒを点灯するタイミングにおいて、ＦＥＴ駆動回路３２６ＲはＦＥＴ３２５ＲをＯＮするように働く。抵抗器３２４Ｒの抵抗値をRfb2Rとすると、フィードバック信号Ｖｆｂの電圧は、次のようになる。
Vfb＝VL×Rfb2C／（Rfb1×（1＋Rfb2C／Rfb2R）＋Rfb2C）
Ｇ色のＬＥＤ光源２Ｇを点灯するタイミングにおいて、ＦＥＴ駆動回路３２６ＧはＦＥＴ３２５ＧをＯＮするように働く。抵抗器３２４Ｇの抵抗値をRfb2Gとすると、フィードバック信号Ｖｆｂの電圧は、次のようになる。
Vfb＝VL×Rfb2C／（Rfb1×（1＋Rfb2C／Rfb2G）＋Rfb2C）
Ｂ色のＬＥＤ光源２Ｂを点灯するタイミングにおいて、ＦＥＴ駆動回路３２６ＢはＦＥＴ３２５ＢをＯＮするように働く。抵抗器３２４Ｂの抵抗値をRfb2Bとすると、フィードバック信号Ｖｆｂの電圧は、次のようになる。
Vfb＝VL×Rfb2C／（Rfb1×（1＋Rfb2C／Rfb2B）＋Rfb2C）
このように本例の電圧フィードバック部３２は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバックループの伝達関数を切替えることによって、フィードバック信号Ｖｆｂを切替えられるようにしている。Ｖｆｂが所定の基準電圧に等しくなるようにＶＬが制御されるので、点灯させるＬＥＤ光源に応じて電圧ＶＬを変更することができる。【００５９】
この様子をタイミングチャートを用いて説明する。【００６０】
図５は、本発明の第１の実施形態のＬＥＤ光源装置の動作を説明するタイミングチャートである。【００６１】
図５に示すように、点灯タイミング信号Ｔｏｎ（Ｒ），Ｔｏｎ（Ｇ），Ｔｏｎ（Ｂ）がＨｉｇｈのとき、それぞれＲ色のＬＥＤ光源２Ｒ、Ｇ色のＬＥＤ光源２Ｇ、Ｂ色のＬＥＤ光源２Ｂが点灯する。また、点灯タイミング信号Ｔｏｎ（Ｒ），Ｔｏｎ（Ｇ），Ｔｏｎ（Ｂ）に応じて、ＬＥＤ光源へ供給する電圧ＶＬが変化する。【００６２】
したがって、本発明の第１の実施形態においては、各ＬＥＤ光源２Ｒ，２Ｇ，２Ｂの負荷電圧に合わせて電圧ＶＬを供給することができるので、ＤＣ／ＤＣコンバータ３１を共用しても電力損失を抑えることができる。【００６３】
続いて、電圧フィードバック部３２の他の構成について説明する。【００６４】
図６は、本発明の第１の実施形態における電圧フィードバック部３２の他の構成例を示すブロック図である。【００６５】
図６に示す電圧フィードバック部３２は、ＤＣ／ＤＣコンバータ３１の出力電圧ＶＬを分圧する抵抗器３２１，３２２と、伝達関数切替部３２３と、を有する。【００６６】
伝達関数切替部３２３は、抵抗器３２４と、ＦＥＴ３２５と、Ｒ色のＬＥＤ光源２Ｒに対する点灯タイミング信号Ｔｏｎ（Ｒ）に基づいてＦＥＴ３２５をＯＮ／ＯＦＦ制御するＦＥＴ駆動回路３２６と、を有する。【００６７】
Ｒ色のＬＥＤ光源２Ｒが点灯するタイミングにおいて、ＦＥＴ駆動回路３２６はＦＥＴ３２５をＯＦＦするように働く。抵抗器３２１，３２２の抵抗値をそれぞれRfb1，Rfb2Cとすると、フィードバック信号Ｖｆｂの電圧は、次のようになる。
Vfb＝VL×Rfb2C／（Rfb1＋Rfb2C）
Ｒ色のＬＥＤ光源２Ｒを消灯するタイミングにおいて、ＦＥＴ駆動回路３２６はＦＥＴ３２５をＯＮするように働く。抵抗器３２４の抵抗値をRfb2Rとすると、フィードバック信号Ｖｆｂの電圧は、次のようになる。
Vfb＝VL×Rfb2C／（Rfb1×（1＋Rfb2C／Rfb2R）＋Rfb2C）
このように本例の電圧フィードバック部３２は、Ｒ色のＬＥＤ光源２Ｒに対する点灯タイミング信号Ｔｏｎ（Ｒ）に基づいて、フィードバックループの伝達関数を切替えることによって、フィードバック信号Ｖｆｂを切替えられるようにしている。Ｖｆｂの電圧が所定の基準電圧に等しくなるようにＶＬが制御されるので、点灯させるＬＥＤ光源に応じて電圧ＶＬを変更することができる。【００６８】
また、本例の電圧フィードバック部３２は、Ｇ色のＬＥＤ光源２Ｇの負荷電圧とＢ色のＬＥＤ光源２Ｂの負荷電圧とがほぼ等しく、かつ、これらの負荷電圧がＲ色のＬＥＤ光源２Ｒの負荷電圧よりも高い場合に適用すると、ＤＣ／ＤＣコンバータ３１を共用しても電力損失を抑えることができる。【００６９】
図６に示す本例の電圧フィードバック部３２は、図４の例と比べて構成がやや簡単であることが利点である。【００７０】
続いて、電圧フィードバック部３２のさらに他の構成について説明する。【００７１】
図７は、本発明の第１の実施形態における電圧フィードバック部３２のさらに他の構成例を示すブロック図である。【００７２】
図７に示す電圧フィードバック部３２は、ＤＣ／ＤＣコンバータ３１の出力電圧ＶＬを分圧する抵抗器３２１，３２２と、伝達関数切替部３２３と、を有する。【００７３】
伝達関数切替部３２３は、抵抗器３２４と、ＦＥＴ３２５と、Ｇ色、Ｂ色のＬＥＤ光源２Ｇ，２Ｂに対する点灯タイミング信号Ｔｏｎ（Ｇ），Ｔｏｎ（Ｂ）に基づいてＦＥＴ３２５をＯＮ／ＯＦＦ制御するＦＥＴ駆動回路３２７と、を有する。【００７４】
Ｇ色およびＢ色の双方のＬＥＤ光源２Ｇおよび２Ｂが消灯するタイミングにおいて、ＦＥＴ駆動回路３２７はＦＥＴ３２５をＯＦＦするように働く。抵抗器３２１，３２２の抵抗値をそれぞれRfb1，Rfb2Cとすると、フィードバック信号Ｖｆｂの電圧は、次のようになる。
Vfb＝VL×Rfb2C／（Rfb1＋Rfb2C）
Ｇ色またはＢ色のＬＥＤ光源２Ｇまたは２Ｂが点灯するタイミングにおいて、ＦＥＴ駆動回路３２７はＦＥＴ３２５をＯＮするように働く。抵抗器３２４の抵抗値をRfb2Rとすると、フィードバック信号Ｖｆｂの電圧は、次のようになる。
Vfb＝VL×Rfb2C／（Rfb1×（1＋Rfb2C／Rfb2R）＋Rfb2C）
このように本例の電圧フィードバック部３２は、Ｇ色、Ｂ色のＬＥＤ光源２Ｇ，２Ｂに対する点灯タイミング信号Ｔｏｎ（Ｇ），Ｔｏｎ（Ｂ）に基づいて、フィードバックループの伝達関数を切替えることによって、フィードバック信号Ｖｆｂを切替えられるようにしている。Ｖｆｂの電圧が所定の基準電圧に等しくなるようにＶＬが制御されるので、点灯させるＬＥＤ光源に応じて電圧ＶＬを変更することができる。【００７５】
また、本例の電圧フィードバック部３２は、Ｇ色のＬＥＤ光源２Ｇの負荷電圧とＢ色のＬＥＤ光源２Ｂの負荷電圧とがほぼ等しく、かつ、これらの負荷電圧がＲ色のＬＥＤ光源２Ｒの負荷電圧よりも高い場合に適用すると、ＤＣ／ＤＣコンバータ３１を共用しても電力損失を抑えることができる。【００７６】
図７に示す本例の電圧フィードバック部３２は、図４の例と比べて構成がやや簡単であることが利点である。【００７７】
（第２の実施形態）
図８は、本発明の第２の実施形態のＬＥＤ光源装置の構成を示すブロック図である。【００７８】
図８に示すＬＥＤ光源装置は、それぞれＲ色（赤色），Ｇ色（緑色），Ｂ色（青色）の光を発するＬＥＤ光源２Ｒ，２Ｇ，２Ｂと、ＬＥＤ光源２Ｒ，２Ｇ，２Ｂを順次点灯させるように駆動するＬＥＤ駆動回路４と、を有する。【００７９】
ＬＥＤ光源２Ｒは、Ｒ色光を発する１以上のＬＥＤ素子２１Ｒを有する。同様に、ＬＥＤ光源２Ｇは、Ｇ色光を発する１以上のＬＥＤ素子２１Ｇを有し、ＬＥＤ光源２Ｂは、Ｂ色光を発する１以上のＬＥＤ素子２１Ｂを有する。【００８０】
ＬＥＤ駆動回路４は、電圧供給部であるＤＣ／ＤＣコンバータ４１と、点灯制御回路４３Ｒ，４３Ｇ，４３Ｂと、電流検出部である抵抗器４４Ｒ，４４Ｇ，４４Ｂと、電圧制御部である電流フィードバック部４５と、を有する。【００８１】
ＤＣ／ＤＣコンバータ４１は、電流フィードバック部４５から入力されるフィードバック信号Ｖｆｂに基づいて、直流電源１から入力される電源電圧Ｖｉｎを、ＬＥＤ光源２Ｒ，２Ｇ，２Ｂへ供給する電圧ＶＬに変換して出力する。ＤＣ／ＤＣコンバータ４１としては、一般的なものを用いることができ、例えば、上述した図３のような構成をとる。【００８２】
点灯制御回路４３Ｒは、ＬＥＤ光源２Ｒを点滅させる役目を担う。点灯制御回路４３Ｒは、ＦＥＴ４３１Ｒと、ＦＥＴ駆動回路４３２Ｒと、を有する。ＦＥＴ駆動回路４３２Ｒは、Ｒ色のＬＥＤ光源２Ｒに対する点灯タイミング信号Ｔｏｎ（Ｒ）に基づいて、ＦＥＴ４３１Ｒに電流を流すタイミングを制御する。【００８３】
点灯制御回路４３Ｇ，４３Ｂの構成や動作は、点灯制御回路４３Ｒと同様である。【００８４】
抵抗器４４Ｒ，４４Ｇ，４４Ｂは、それぞれＬＥＤ光源２Ｒ，２Ｇ，２Ｂに流れる電流値を検出し、それぞれ検出された電流値に応じた電圧値となる電流検出信号を生成する。【００８５】
電流フィードバック部４５は、抵抗器４４Ｒ，４４Ｇ，４４Ｂで生成された各電流検出信号に応じた電流情報を、フィードバック信号ＶｆｂとしてＤＣ／ＤＣコンバータ４１へフィードバックする。このフィードバックループにより、電圧ＶＬが調節される。【００８６】
また、電流フィードバック部４５は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバック信号Ｖｆｂを、点灯させるＬＥＤ光源に応じて切替える。このことによって、点灯させるＬＥＤ光源に応じて電圧ＶＬを変更することができる。【００８７】
ＬＥＤ素子は流れる電流が増加すると順方向電圧が増加するので、フィードバック信号Ｖｆｂとして負荷電圧と負荷電流のどちらの情報を用いても、ＤＣ／ＤＣコンバータ４１は同様に働く。Ｖｆｂの電圧が所定の基準電圧に等しくなるようにＶＬが制御されるので、フィードバックループにより負荷電流が一定の値になるよう電圧ＶＬが制御される。【００８８】
電流フィードバック部４５は、基準電圧生成回路４５１Ｒ，４５１Ｇ，４５１Ｂと、電流情報生成部である差動増幅回路４５２Ｒ，４５２Ｇ，４５２Ｂと、伝達関数切替部４５３と、を有する。【００８９】
基準電圧生成回路４５１Ｒは、ＬＥＤ光源２Ｒを点灯させるときの基準電圧値となる基準電圧信号を生成する。【００９０】
基準電圧生成回路４５１Ｇは、ＬＥＤ光源２Ｇを点灯させるときの基準電圧値となる基準電圧信号を生成する。【００９１】
基準電圧生成回路４５１Ｂは、ＬＥＤ光源２Ｂを点灯させるときの基準電圧値となる基準電圧信号を生成する。【００９２】
差動増幅回路４５２Ｒは、基準電圧生成回路４５１Ｒで生成された基準電圧信号と抵抗器４４Ｒで生成された電流検出信号との電圧差を増幅し、増幅された電圧差を表す電流情報を伝達関数切替部４５３へ出力する。【００９３】
差動増幅回路４５２Ｇは、基準電圧生成回路４５１Ｇで生成された基準電圧信号と抵抗器４４Ｇで生成された電流検出信号との電圧差を増幅し、増幅された電圧差を表す電流情報を伝達関数切替部４５３へ出力する。【００９４】
差動増幅回路４５２Ｂは、基準電圧生成回路４５１Ｂで生成された基準電圧信号と抵抗器４４Ｂで生成された電流検出信号との電圧差を増幅し、増幅された電圧差を表す電流情報を伝達関数切替部４５３へ出力する。【００９５】
伝達関数切替部４５３は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、差動増幅回路４５２Ｒ，４５２Ｇ，４５２Ｂから入力される電流情報の中から、点灯させるＬＥＤ光源についての電流情報を選択してフィードバック信号Ｖｆｂとして出力する。【００９６】
このように電流フィードバック部４５は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバック信号Ｖｆｂを切替えられるようにしている。従って、点灯させるＬＥＤ光源に応じて負荷電流および負荷電圧ＶＬを変更することができる。【００９７】
各ＬＥＤ光源２Ｒ，２Ｇ，２Ｂに流れる電流値は、それぞれ基準電圧生成回路４５１Ｒ，４５１Ｇ，４５１Ｂで生成される基準電圧値を変更することによって調整できる。【００９８】
以上のように本発明の第２の実施形態においては、点灯させるＬＥＤ光源に応じて負荷電流および負荷電圧ＶＬを変更することができるので、複数のＬＥＤ光源２Ｒ，２Ｇ，２ＢでＤＣ／ＤＣコンバータ４１を共用しても電力損失を抑えることができる。【００９９】
また、ＤＣ／ＤＣコンバータ４１へフィードバックする情報をＬＥＤ光源２Ｒ，２Ｇ，２Ｂに流れる電流を基に生成するようにしたので、ＬＥＤ素子の順方向電圧の個体差が大きくても発光光束を精度よく制御できる。【０１００】
（第３の実施形態）
図９は、本発明の第３の実施形態のＬＥＤ光源装置の構成を示すブロック図である。【０１０１】
図９に示すＬＥＤ光源装置は、図８に示した第２の実施形態のＬＥＤ光源装置と比べると、ＬＥＤ駆動回路４の内部構成が異なる。以降、異なる点を中心に説明する。【０１０２】
ＬＥＤ駆動回路４は、電圧供給部であるＤＣ／ＤＣコンバータ４１と、点灯制御回路４３Ｒ，４３Ｇ，４３Ｂと、電流検出部である抵抗器４４と、電圧制御部である電流フィードバック部４６と、を有する。【０１０３】
ＤＣ／ＤＣコンバータ４１と、点灯制御回路４３Ｒ，４３Ｇ，４３Ｂとは、上述の第２の実施形態と同様である。【０１０４】
本実施形態では、上述の第２の実施形態と異なり、ＬＥＤ光源２Ｒ，２Ｇ，２Ｂに流れる電流経路を途中で１本化している。抵抗器４４は、この１本化した電流経路に流れる電流値、すなわちＬＥＤ光源２Ｒ，２Ｇ，２Ｂに流れる総電流値を検出し、検出された総電流値に応じた電圧値となる電流検出信号を生成する。【０１０５】
電流フィードバック部４６は、抵抗器４４で生成された電流検出信号に応じた電流情報を、フィードバック信号ＶｆｂとしてＤＣ／ＤＣコンバータ４１へフィードバックする。このフィードバックループにより、電圧ＶＬが調節される。また、電流フィードバック部４６は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバック信号Ｖｆｂを切替える。従って、点灯させるＬＥＤ光源に応じて負荷電流が一定の値になるよう電圧ＶＬが制御される。【０１０６】
電流フィードバック部４６は、基準電圧生成回路４６１Ｒ，４６１Ｇ，４６１Ｂと、伝達関数切替部４６３と、電流情報生成部である差動増幅回路４６２と、を有する。【０１０７】
基準電圧生成回路４６１Ｒは、ＬＥＤ光源２Ｒを点灯させるときの基準電圧値となる基準電圧信号を生成する。【０１０８】
基準電圧生成回路４６１Ｇは、ＬＥＤ光源２Ｇを点灯させるときの基準電圧値となる基準電圧信号を生成する。【０１０９】
基準電圧生成回路４６１Ｂは、ＬＥＤ光源２Ｂを点灯させるときの基準電圧値となる基準電圧信号を生成する。【０１１０】
伝達関数切替部４６３は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、基準電圧生成回路４６１Ｒ，４６１Ｇ，４６１Ｂで生成された基準電圧信号の中から、点灯させるＬＥＤ光源についての基準電圧信号を選択する。【０１１１】
差動増幅回路４６２は、伝達関数切替部４６３で選択された基準電圧信号と抵抗器４４で生成された電流検出信号との電圧差を増幅し、増幅された電圧差を表す電流情報をフィードバック信号ＶｆｂとしてＤＣ／ＤＣコンバータ４１へフィードバックする。【０１１２】
このように電流フィードバック部４６は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、フィードバック信号Ｖｆｂを切替えられるようにしている。従って、点灯させるＬＥＤ光源に応じて負荷電流および負荷電圧ＶＬを変更することができる。【０１１３】
各ＬＥＤ光源２Ｒ，２Ｇ，２Ｂに流れる電流値は、それぞれ基準電圧生成回路４６１Ｒ，４６１Ｇ，４６１Ｂで生成される基準電圧値を変更することによって調整できる。【０１１４】
以上のように本発明の第３の実施形態においても、点灯させるＬＥＤ光源に応じて負荷電流および負荷電圧ＶＬを変更することができるので、複数のＬＥＤ光源２Ｒ，２Ｇ，２ＢでＤＣ／ＤＣコンバータ４１を共用しても電力損失を抑えることができる。【０１１５】
また、ＤＣ／ＤＣコンバータ４１へフィードバックする情報をＬＥＤ光源２Ｒ，２Ｇ，２Ｂに流れる電流を基に生成するようにしたので、ＬＥＤ素子の順方向電圧の個体差が大きくても発光光束を精度よく制御できる。【０１１６】
（第４の実施形態）
図１０は、本発明の第４の実施形態のＬＥＤ光源装置の構成を示すブロック図である。【０１１７】
図１０に示すＬＥＤ光源装置は、図９に示した第３の実施形態のＬＥＤ光源装置と比べると、ＬＥＤ駆動回路４の内部構成が異なる。以降、異なる点を中心に説明する。【０１１８】
ＬＥＤ駆動回路４は、電圧供給部であるＤＣ／ＤＣコンバータ４１と、点灯制御回路４３Ｃ，４３Ｒ，４３Ｇ，４３Ｂと、電流検出部である抵抗器４４と、電圧制御部である電流フィードバック部４７と、を有する。【０１１９】
ＤＣ／ＤＣコンバータ４１と、点灯制御回路４３Ｒ，４３Ｇ，４３Ｂとは、上述の第３の実施形態と同様である。【０１２０】
本実施形態では、上述の第３の実施形態と異なり、点灯制御回路４３Ｃが追加されている。点灯制御回路４３Ｃは、ＦＥＴ４３１Ｃと、ＦＥＴ駆動回路４３２Ｃと、を有する。ＦＥＴ駆動回路４３２Ｃは、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、いずれのＬＥＤ光源も点灯しないタイミングでＦＥＴ４３１Ｃに流す電流をＯＮするように働く。【０１２１】
電流フィードバック部４７は、上述の第３の実施形態における電流フィードバック部４６と比べて、基準電圧生成回路４７１Ｒ，４７１Ｇ，４７１Ｂと、伝達関数切替部４７３と、電流情報生成部である差動増幅回路４７２と、を有する点は同じであるが、特定基準電圧生成回路である基準電圧生成回路４７１Ｃが追加されている点が異なる。伝達関数切替部４７３は、各ＬＥＤ光源２Ｒ，２Ｇ，２Ｂに対する点灯タイミング信号Ｔｏｎ（Ｒ），Ｔｏｎ（Ｇ），Ｔｏｎ（Ｂ）に基づいて、基準電圧生成回路４７１Ｃ，４７１Ｒ，４７１Ｇ，４７１Ｂで生成された基準電圧信号のいずれかを選択する。基準電圧生成回路４７１Ｃで生成された基準電圧信号が選択されるのは、いずれのＬＥＤ光源も点灯しないタイミングである。【０１２２】
従って、ＤＣ／ＤＣコンバータ４１は、常時いくらかの電圧を供給するように動作するため、フィードバック信号Ｖｆｂを切替えるときの応答時間を短くすることができる。また、いずれのＬＥＤ光源も点灯しないときの電圧ＶＬを低くすることができるので、点灯開始時点で不用意に電圧ＶＬが高くなってしまうことを回避することができる。【０１２３】
以上のように本発明の第４の実施形態においても、点灯させるＬＥＤ光源に応じて負荷電流および負荷電圧ＶＬを変更することができるので、複数のＬＥＤ光源２Ｒ，２Ｇ，２ＢでＤＣ／ＤＣコンバータ４１を共用しても電力損失を抑えることができる。【０１２４】
また、ＤＣ／ＤＣコンバータ４１へフィードバックする情報をＬＥＤ光源２Ｒ，２Ｇ，２Ｂに流れる電流を基に生成するようにしたので、ＬＥＤ素子の順方向電圧の個体差が大きくても発光光束を精度よく制御できる。【０１２５】
以上、本発明について実施形態を参照して説明したが、本発明は上記実施形態に限定されものではない。本発明の構成や詳細には、本発明の範囲内で当業者が理解し得る様々な変更をすることができる。【０１２６】
例えば、第１の実施形態における抵抗器３２４Ｒ，３２４Ｇ，３２４Ｂを、デジタルポテンショメータとして外部から調整できるようにしてもよい。そうすることによって、ＬＥＤ光源の個体差の調整を容易に行うことができる。【０１２７】
また、第２〜４の実施形態における基準電圧生成回路を、ＤＡＣ（Digital-to-Analog  Converter）など用いて外部から調整できるようにしてもよい。そうすることによって、ＬＥＤ光源の個体差の調整を容易に行うことができる。【０１２８】
また、第２の実施形態における電流フィードバック部において、いずれのＬＥＤ光源も点灯しないときに、第４の実施形態のように、フィードバック信号Ｖｆｂが所定の電圧になるように制御するようにしてもよい。そうすることによって、いずれのＬＥＤ光源も点灯しないときの電圧ＶＬを低くすることができ、点灯開始時点で不用意に電圧ＶＬが高くなってしまうことを回避することができる。【０１２９】
また、第１〜４の実施形態では、ＤＣ／ＤＣコンバータとして、降圧型のスイッチングレギュレータでヒステリシス型として説明したが、他のタイプのＤＣ／ＤＣコンバータであってもよい。【０１３０】
また、第１〜４の実施形態では、各ＬＥＤ光源の接続はアノードコモンとして説明したが、カソードコモンでも構成できる。
【図１】
2009122488.tif 000003
【図２】
2009122488.tif 000004
【図３】
2009122488.tif 000005
【図４】
2009122488.tif 000006
【図５】
2009122488.tif 000007
【図６】
2009122488.tif 000008
【図７】
2009122488.tif 000009
【図８】
2009122488.tif 000010
【図９】
2009122488.tif 000011
【図１０】
2009122488.tif 000012
【国際調査報告】
2009122488.tif 000013
2009122488.tif 000014
2009122488.tif 000015
2009122488.tif 000016